(57)【要約】 【課題】外部からＲＴＣを設定する場合であっても、基板上に専用の接続部を設けなくとも良い遊技機を提供することを目的としている。【解決手段】ＲＴＣモジュール部９００と、接続用コネクタ９０ａ〜９０ｂとを少なくとも備えた演出Ｉ／Ｆ基板９０と、  演出制御ＣＰＵ８００と、接続用コネクタ８０ａ〜８０ｂとを少なくとも備えた演出制御基板８０とを有し、  前記演出Ｉ／Ｆ基板９０と前記演出制御基板８０とを接続するにあたって、前記接続用コネクタ９０ａ〜９０ｂと前記接続用コネクタ８０ａ〜８０ｂとを接続し、  前記演出Ｉ／Ｆ基板９０と前記ＲＴＣモジュール部９００の設定を外部から行うことが可能な外部設定装置２００とを接続するにあたって、前記接続用コネクタ９０ａ〜９０ｂと前記接続用コネクタ８０ａ〜８０ｂとの接続を解除し、該接続用コネクタ９０ａ〜９０ｂに、前記外部設定装置２００を接続している。【選択図】図５
2014100414.tif 000002
【特許請求の範囲】
【請求項１】
実時間を計時するＲＴＣと、第１接続部とを少なくとも備えた第１基板と、
前記ＲＴＣの計時内容を用いて各種制御を行うＣＰＵと、第２接続部とを少なくとも備えた第２基板とを有し、
前記第１基板と前記第２基板とを接続するにあたって、前記第１接続部と前記第２接続部とを接続し、
前記第１基板と前記ＲＴＣの設定を外部から行うことが可能な外部設定装置とを接続するにあたって、前記第１接続部と前記第２接続部との接続を解除し、該第１接続部に、前記外部設定装置を接続してなることを特徴とする遊技機。
【請求項２】
前記第１基板は、演出Ｉ／Ｆ基板であって、
前記第２基板は、演出制御基板であり、
前記ＣＰＵは、所定のコマンドに基づいて演出の進行を制御してなる請求項１に記載の遊技機。
【発明の詳細な説明】
【技術分野】
【０００１】
本発明は、パチンコ機、アレンジボール機、雀球遊技機、スロットなどの遊技機に関し、より詳しくは、外部からＲＴＣを設定する場合であっても、基板上に専用の接続部を設けなくとも良い遊技機に関する。
【背景技術】
【０００２】
従来のパチンコ機等の遊技機として、例えば特許文献１に記載のような遊技機が知られている。この遊技機は、サブ制御基板に、実時間を計時するＲＴＣ（Ｒｅａｌ  Ｔｉｍｅ  Ｃｌｏｃｋ）と、前記ＲＴＣの計時内容を用いて制御を行うＣＰＵとが搭載されている。そして、当該ＲＴＣの時刻設定を外部装置であるＲＴＣ書込み装置を用いて外部から行う際、当該ＲＴＣ書込み装置を上記サブ制御基板に接続することにより当該処理を実行するというものである。
【先行技術文献】
【特許文献】
【０００３】
【特許文献１】特許第４９４０２８３号公報
【発明の概要】
【発明が解決しようとする課題】
【０００４】
しかしながら、上記遊技機は、同一基板上にＲＴＣとＣＰＵとが搭載されていることから、外部装置であるＲＴＣ書込み装置と上記サブ制御基板とを接続しようすると、当該サブ制御基板に上記ＲＴＣ書込み装置専用のコネクタを設ける必要があった。
【０００５】
そこで本発明は、上記問題に鑑み、外部からＲＴＣを設定する場合であっても、基板上に専用の接続部を設けなくとも良い遊技機を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、実時間を計時するＲＴＣ（ＲＴＣモジュール部９００）と、第１接続部（接続用コネクタ９０ａ〜９０ｂ）とを少なくとも備えた第１基板（演出Ｉ／Ｆ基板９０）と、
前記ＲＴＣ（ＲＴＣモジュール部９００）の計時内容を用いて各種制御を行うＣＰＵ（演出制御ＣＰＵ８００）と、第２接続部（接続用コネクタ８０ａ〜８０ｂ）とを少なくとも備えた第２基板（演出制御基板８０）とを有し、
前記第１基板（演出Ｉ／Ｆ基板９０）と前記第２基板（演出制御基板８０）とを接続するにあたって、前記第１接続部（接続用コネクタ９０ａ〜９０ｂ）と前記第２接続部（接続用コネクタ８０ａ〜８０ｂ）とを接続し、
前記第１基板（演出Ｉ／Ｆ基板９０）と前記ＲＴＣ（ＲＴＣモジュール部９００）の設定を外部から行うことが可能な外部設定装置（２００）とを接続するにあたって、前記第１接続部（接続用コネクタ９０ａ〜９０ｂ）と前記第２接続部（接続用コネクタ８０ａ〜８０ｂ）との接続を解除し、該第１接続部（接続用コネクタ９０ａ〜９０ｂ）に、前記外部設定装置（２００）を接続してなることを特徴としている。
【０００８】
また、請求項２の発明によれば、上記請求項１に記載の遊技機において、前記第１基板（演出Ｉ／Ｆ基板９０）は、演出Ｉ／Ｆ基板（９０）であって、
前記第２基板（演出制御基板８０）は、演出制御基板（８０）であり、
前記ＣＰＵ（演出制御ＣＰＵ８００）は、所定のコマンドに基づいて演出の進行を制御してなることを特徴としている。これにより、既存の基板を用いれば、新たな基板を設けなくとも良いため、部品点数が増大する事態を防止することができる。
【発明の効果】
【０００９】
本発明によれば、外部からＲＴＣを設定する場合であっても、基板上に専用の接続部を設けなくとも良くなる。
【図面の簡単な説明】
【００１０】
【図１】本発明の一実施形態に係る遊技機の外観を示す正面側の斜視図である。
【図２】同実施形態に係る遊技盤の正面図である。
【図３】同実施形態に係る遊技機の制御装置を示すブロック図である。
【図４】同実施形態に係る演出制御基板と演出Ｉ／Ｆ基板との接続状況を概略的に示すブロック図である。
【図５】同実施形態に係る演出Ｉ／Ｆ基板に外部設定装置を接続した状態を示すブロック図である。
【発明を実施するための形態】
【００１１】
以下、本発明に係る遊技機の一実施形態を、パチンコ遊技機を例にして、図１〜図５を参照して具体的に説明する。なお、以下の説明において、上下左右の方向を示す場合には、図示正面から見た場合の上下左右をいうものとする。
【００１２】
まず、図１及び図２を参照して本実施形態に係るパチンコ遊技機の外観構成を説明する。
【００１３】
図１に示すように、パチンコ遊技機１は、木製の外枠２の前面に矩形状の前面枠３を開閉可能に取り付け、その前面枠３の裏面に取り付けられている遊技盤収納フレーム（図示せず）内に遊技盤４が装着された構成からなる。遊技盤４は、図２に示す遊技領域４０を前面に臨ませた状態で装着され、図１に示すようにこの遊技領域４０の前側に透明ガラスを支持したガラス扉枠５が設けられている。なお、上記遊技領域４０は、遊技盤４の面上に配設された球誘導レール６（図２参照）で囲まれた領域からなるものである。
【００１４】
一方、パチンコ遊技機１は、図１に示すように、ガラス扉枠５の下側に前面操作パネル７が配設され、その前面操作パネル７には上受け皿ユニット８が設けられ、この上受け皿ユニット８には、排出された遊技球を貯留する上受け皿９が一体形成されている。また、この前面操作パネル７には、球貸しボタン１１及びプリペイドカード排出ボタン１２（カード返却ボタン１２）が設けられている。そして、上受け皿９の上皿表面部分には、内蔵ランプ（図示せず）点灯時に押下することにより演出効果を変化させることができる押しボタン式の演出ボタン装置１３が設けられている。また、この上受け皿９には、当該上受け皿９に貯留された遊技球を下方に抜くための球抜きボタン１４が設けられている。
【００１５】
また一方、図１に示すように、前面操作パネル７の右端部側には、発射ユニットを作動させるための発射ハンドル１５が設けられ、前面枠３の上部両側面側には、ＢＧＭ（Ｂａｃｋｇｒｏｕｎｄ  ｍｕｓｉｃ）あるいは効果音を発するスピーカ１６が設けられている。そして、上記前面枠３の周枠には、ＬＥＤランプ等の装飾ランプが配設されている。
【００１６】
他方、上記遊技盤４の遊技領域４０には、図２に示すように、略中央部にＬＣＤ（Ｌｉｑｕｉｄ  Ｃｒｙｓｔａｌ  Ｄｉｓｐｌａｙ）等からなる液晶表示装置４１が配設されている。この液晶表示装置４１は、表示エリアを左、中、右の３つのエリアに分割し、独立して数字やキャラクタあるいは図柄（装飾図柄）の変動表示が可能なものである。
【００１７】
一方、液晶表示装置４１の真下には、特別図柄始動口４２が配設され、その内部には入賞球を検知する特別図柄始動口スイッチ（図３参照）が設けられている。そして、この特別図柄始動口４２の右側には、大入賞口４３が配設され、その内部には入賞球を検知する大入賞口スイッチ（図３参照）が設けられている。
【００１８】
また一方、上記液晶表示装置４１の右上部にはゲートからなる普通図柄始動口４４が配設され、その内部には、遊技球の通過を検知する普通図柄始動口スイッチ（図３参照）が設けられている。また、上記大入賞口４３の右側及び上記特別図柄始動口４２の左側には、一般入賞口４５が夫々配設され（図示では、右側に１つ、左側に３つ）、その内部には、夫々、遊技球の通過を検知する一般入賞口スイッチ（図３参照）が設けられている。
【００１９】
また、上記遊技盤４の遊技領域４０の右下周縁部には、７セグメントが３個並べて構成されており、そのうち２個の７セグメントが特別図柄表示装置４６であり、他の７セグメントは保留球数等を表示するものである。この特別図柄表示装置４６の左側には、２個のＬＥＤからなる普通図柄表示装置４７が設けられている。なお、上記遊技盤４の遊技領域４０には、複数の遊技釘（図示せず）が配設され、遊技球の落下方向変換部材としての風車４８が配設されている。
【００２０】
次に、上記のような外観構成からなるパチンコ遊技機１内に設けられる遊技の進行状況に応じて電子制御を行う制御装置を、図３を用いて説明する。この制御装置は、図３に示すように、遊技店に設置された図示しない変圧トランスから供給される外部電源である交流電圧ＡＣ２４Ｖを受けて複数種類の直流電圧を生成する電源基板５０と、遊技動作全般の制御を司る主制御基板６０と、その主制御基板６０からの制御コマンドに基づいて遊技球を払出す払出制御基板７０と、その主制御基板６０からの制御コマンドを受けて演出処理を行う演出制御基板８０とで主に構成されている。なお、演出制御基板８０は、上記主制御基板６０からの制御コマンドを演出Ｉ／Ｆ基板９０を介して受信している。
【００２１】
電源基板５０は、遊技店に設置された図示しない変圧トランスから供給される外部電源である交流電圧ＡＣ２４Ｖを受けて複数種類の直流電圧を生成する。そして、その生成された直流電圧のうちＤＣ１２Ｖが払出制御基板７０に供給され、ＤＣ１２Ｖ，ＤＣ３２Ｖが主制御基板６０に供給される。そしてさらに、ＤＣ５Ｖ，ＤＣ１２Ｖ，ＤＣ１５Ｖ及びＤＣ３２Ｖが演出Ｉ／Ｆ基板９０に供給される。なお、払出制御基板７０には、上記外部電源である交流電圧ＡＣ２４Ｖが電源基板５０を介して供給されている。
【００２２】
一方、主制御基板６０は、遊技盤中継基板１００を介して遊技盤４の各遊技部材に接続されており、これにより、遊技盤４上の各始動口４２，４４及び各入賞口４３，４５の内部に設けられているスイッチ信号を受信する一方、大入賞口４３などのソレノイド類を駆動するソレノイド類駆動信号を遊技盤中継基板１００に送信している。なお、本実施形態においては、遊技盤４上の各始動口４２，４４及び各入賞口４３，４５の内部に設けられているスイッチ信号を、遊技盤中継基板１００を介して主制御基板６０に接続する例を示したが、遊技盤中継基板１００を介さず、直接、主制御基板６０に接続しても良い。
【００２３】
また、主制御基板６０は、上記各入賞口４３，４５からのスイッチ信号を受信した場合、遊技者に幾らの遊技球を払い出すかを決定し、その決定した情報を払出制御コマンドとして送信する。そしてその一方で、払出制御基板７０からは、遊技球の払出動作を示す賞球計数信号や払出動作の異常に係るステイタス信号を受信している。なお、ステイタス信号には、例えば、補給切れ信号、払出不足エラー信号、下皿満杯信号が含まれている。
【００２４】
さらに、主制御基板６０は、上記各始動口４２，４４からのスイッチ信号を受信すると、遊技者に有利な特別遊技状態を発生させるか（いわゆる「当たり」）、あるいは、遊技者に有利な特別遊技状態を発生させないか（いわゆる「ハズレ」）の抽選を行い、その抽選結果である当否情報に応じて特別図柄の変動パターンや停止図柄あるいは普通図柄の表示内容を決定し、その決定した情報を特別図柄表示装置４６又は普通図柄表示装置４７に送信する。これにより、特別図柄表示装置４６又は普通図柄表示装置４７に抽選結果が表示されることとなる。そしてさらに、主制御基板６０は、その決定した情報を含む演出制御コマンドを生成し、演出Ｉ／Ｆ基板９０に送信する。なお、主制御基板６０は、電源基板５０から供給された直流電圧ＤＣ３２Ｖを遊技盤中継基板１００に供給している。
【００２５】
一方、払出制御基板７０は、上記主制御基板６０からの払出制御コマンドを受信し、その受信した払出制御コマンドに基づいて払出モータ信号を生成する。そして、その生成した払出モータ信号にて、払出モータＭを制御し、遊技者に遊技球を払出す。そしてさらに、払出制御基板７０は、遊技球の払出動作を示す賞球計数信号や払出動作の異常に係るステイタス信号を送信し、遊技者の操作に応答して遊技球を発射させる発射制御基板１１０の作動を開始又は停止させる発射制御信号を送信する。なお、払出制御基板７０は、電源基板５０から供給された交流電圧ＡＣ２４Ｖを発射制御基板１１０に供給している。
【００２６】
他方、演出制御基板８０は、演出Ｉ／Ｆ基板９０を介して上記主制御基板６０から送信された演出制御コマンドに基づいて、上記前面枠３の周枠に配設されているＬＥＤランプ等の装飾ランプを駆動制御して光による演出を実現させるための信号を演出Ｉ／Ｆ基板９０を介して装飾ランプ基板１２０に送信する処理を行う。そしてさらに、演出制御基板８０は、上記演出制御コマンドに基づいて、スピーカ１６を駆動制御して音による演出を実現するための信号を演出Ｉ／Ｆ基板９０を介してスピーカ１６に送信する処理を行う。また、演出制御基板８０は、上記演出制御コマンドに基づいて、液晶制御基板１３０を制御して液晶表示装置４１による画像演出を実現させるための信号を演出Ｉ／Ｆ基板９０を介して液晶制御基板１３０に送信する処理を行う。なお、液晶制御基板１３０には演出内容に沿った画像を表示するための種々の画像データが記憶されており、さらに、演出出力全般の制御を担うＶＤＰ（Ｖｉｄｅｏ  Ｄｉｓｐｌａｙ  Ｐｒｏｃｅｓｓｏｒ）が搭載されている。なお、図示はしないが、演出Ｉ／Ｆ基板９０に供給されている各直流電圧は、各基板８０，１２０，１３０夫々に供給されている。
【００２７】
ここで、本発明の特徴とするところは、演出制御基板８０と演出Ｉ／Ｆ基板９０に関するところであるため、この点につき、図４及び図５を用いてより詳しく説明する。
【００２８】
図４に示すように、演出制御基板８０には、上記主制御基板６０からの演出制御コマンを受けて各種演出を実行制御する演出制御ＣＰＵ８００と、演出制御手順を記述した制御プログラム等が格納されている演出制御ＲＯＭ８０１と、作業領域やバッファメモリ等として機能する演出制御ＲＡＭ８０２と、所望のＢＧＭや効果音を生成する音ＬＳＩ８０３と、ＢＧＭや効果音等の音データ等が予め格納されている音ＲＯＭ８０４とが搭載されている。
【００２９】
このように構成される演出制御基板８０は、主制御基板６０より送信される大当たり抽選結果（大当たりかハズレの別）に基づく特別図柄変動パターン、現在の遊技状態、作動保留球数、抽選結果に基づき停止させる装飾図柄等に必要となる基本情報を含んだ演出制御コマンドを演出制御ＣＰＵ８００にて受信する。そして、演出制御ＣＰＵ８００は、受信した演出制御コマンドに対応した演出パターンを、演出制御ＲＯＭ８０１内に予め格納しておいた多数の演出パターンの中から抽選により決定し、その決定した演出パターンを実行指示する制御信号を演出制御ＲＡＭ８０２内に一時的に格納する。
【００３０】
また、演出制御ＣＰＵ８００は、演出制御ＲＡＭ８０２に格納しておいた演出パターンを実行指示する制御信号のうち、音に関する制御信号を音ＬＳＩ８０３に送信する。これを受けて音ＬＳＩ８０３は、当該制御信号に対応する音データを音ＲＯＭ８０４より読み出し、スピーカ１６に出力する。これにより、スピーカ１６より上記決定された演出パターンに対応したＢＧＭや効果音が発せられることとなる。
【００３１】
さらに、演出制御ＣＰＵ８００は、演出制御ＲＡＭ８０２に格納しておいた演出パターンを実行指示する制御信号のうち、光に関する制御信号を装飾ランプ基板１２０に送信する。これにより、装飾ランプ基板１２０が、ランプ演出効果を現出するＬＥＤランプ等の装飾ランプを点灯又は消灯する制御を行うため、上記決定された演出パターンに対応したランプ演出が実行されることとなる。
【００３２】
そして、演出制御ＣＰＵ８００は、演出制御ＲＡＭ８０２に格納しておいた演出パターンを実行指示する制御信号のうち、画像に関する制御信号を液晶制御基板１３０に送信する。これにより、液晶表示装置４１に上記制御信号に基づく画像が表示されることとなる。
【００３３】
一方、演出Ｉ／Ｆ基板９０には、図４に示すように、ＲＴＣモジュール部９００と、二次電池又はリチウム電池等からなるバックアップ電源９０１と、ＲＴＣ用ＲＡＭ９０２とが搭載されている。このＲＴＣモジュール部９００は、実時間を計時し出力するもので、上記演出制御ＣＰＵ８００は、この計時内容を用いて各種演出制御を実行する。また、ＲＴＣモジュール部９００は、現在時刻や日付等を設定できるレジスタ（図示せず）を有しており、このレジスタに、後述する外部設定装置２００（図５参照）を用いてアクセスすれば、現在時刻や日付等を外部から設定することができる。
【００３４】
かくして、このように構成されるＲＴＣモジュール部９００は、通常、電源基板５０にて生成された電源を用いて動作し、電源基板５０より電源が供給されなくなった際、上記バックアップ電源９０１から供給される電源によって動作する。
【００３５】
一方、ＲＴＣ用ＲＡＭ９０２は、上記ＲＴＣモジュール部９００のレジスタの内容や、ＲＴＣモジュール部９００の使用・不使用のデータ等を一時的に記憶しておくものである。
【００３６】
かくして、このように構成される演出Ｉ／Ｆ基板９０と上記演出制御基板８０とは、図４に示すように、演出制御基板８０に設けられている接続用コネクタ８０ａ，８０ｂと、演出Ｉ／Ｆ基板９０に設けられている接続用コネクタ９０ａ，９０ｂとが直接接続されることで接続される。これにより、演出制御基板８０と演出Ｉ／Ｆ基板９０とが電気的に接続されることとなる。
【００３７】
そして、演出Ｉ／Ｆ基板９０に搭載されているＲＴＣモジュール部９００の現在時刻や日付等を、工場出荷時に、図５に示す外部設定装置２００を用いて外部から設定する際、図５に示すように、演出制御基板８０の接続用コネクタ８０ａ，８０ｂと、演出Ｉ／Ｆ基板９０の接続用コネクタ９０ａ，９０ｂとの接続を解除し、外部設定装置２００に設けられている接続用コネクタ２００ａ，２００ｂと、演出Ｉ／Ｆ基板に設けられている接続用コネクタ９０ａ，９０ｂとをハーネス等を用いて接続する。これにより、演出Ｉ／Ｆ基板９０と外部設定装置２００とが電気的に接続されることとなるため、ＲＴＣモジュール部９００の現在時刻や日付等の設定を、外部設定装置２００を用いて外部から設定することができることとなる。
【００３８】
ところで、この外部設定装置２００は、図５に示すように、外部ＣＰＵ２０００と、その外部ＣＰＵ２０００が行う制御手順を記述した制御プログラム等が格納されている外部ＲＯＭ２００１と、作業領域やバッファメモリ等として機能する外部ＲＡＭ２００２と、入出力ポートからなるＧＰＩＯ２００３とで構成されている。
【００３９】
このように構成される外部設定装置２００は、工場出荷時に、作業員によって、現在時刻や日付等の設定が入力されると、当該設定内容を、ＧＰＩＯ２００３を介して外部ＣＰＵ２０００が受信する。これを受けて、外部ＣＰＵ２０００は、上記外部ＲＯＭ２００１に格納されている制御プログラムに従った処理を行い、当該処理内容を上記外部ＲＡＭ２００２に一時的に記憶する。そして、外部ＣＰＵ２０００は、その一時的に記憶しておいた処理内容を外部ＲＡＭ２００２より読み出し、その読み出した内容がＲＴＣモジュール部９００に反映されるよう当該ＲＴＣモジュール部９００のレジスタにアクセスする。これにより、当該レジスタに、作業員が入力した現在時刻や日付等の設定が格納されることとなるため、当該入力した設定内容がＲＴＣモジュール部９００に反映されることとなる。
【００４０】
しかして、以上説明した本実施形態によれば、実時間を計時し出力するＲＴＣモジュール部９００と、この計時内容を用いて各種演出制御を実行する演出制御ＣＰＵ８００とが、別基板に搭載されており、なお且つ、接続用コネクタ８０ａ〜８０ｂ，９０ａ〜９０ｂによって当該両基板は取り外し可能となっている。そのため、外部設定装置２００を用いて、上記ＲＴＣモジュール部９００の現在時刻や日付等を外部から設定しようとすれば、当該両基板の接続を解除し、その解除した接続用コネクタ８０ａ〜８０ｂ，９０ａ〜９０ｂのうち、上記ＲＴＣモジュール部９００が搭載されている基板の接続用コネクタ９０ａ〜９０ｂに外部設定装置２００を接続すれば良い。このようにすれば、基板上に新たに外部設定装置２００との専用の接続用コネクタを設けなくとも、外部設定装置２００を用いて、上記ＲＴＣモジュール部９００の現在時刻や日付等を外部から設定することができる。
【００４１】
また、演出ボタン装置１３を用いて、ＲＴＣモジュール部９００に対し、現在時刻や日付等の設定ができるようにすることもできる。その際、演出ボタン装置１３にて入力された現在時刻や日付等の設定が演出制御ＣＰＵ８００にて処理され、その処理内容がＲＴＣモジュール部９００に送信されることとなる。これにより、当該入力された現在時刻や日付等の設定がＲＴＣモジュール部９００に反映されることとなる。このようにすれば、パチンコ遊技機１台毎にＲＴＣモジュール部９００の現在時刻や日付等の設定をすることができる。
【００４２】
しかしながら、量産時や、遊技場の営業前に、全台、同一の現在時刻や日付等の設定にしたい場合、作業効率が非常に悪いという問題がある。そこで、外部設定装置２００を用いて設定することが考えられるが、その際、同一基板上にＲＴＣモジュール部９００と演出制御ＣＰＵ８００が搭載されていると、外部設定装置２００による外部からの設定情報と、演出ボタン装置１３による設定情報とが競合する可能性があり、正確な設定内容が反映されない等の問題がある。この点、本実施形態によれば、実時間を計時し出力するＲＴＣモジュール部９００と、この計時内容を用いて各種演出制御を実行する演出制御ＣＰＵ８００とが、別基板に搭載されていることから、演出制御ＣＰＵ８００の処理内容（演出ボタン装置１３にて設定された内容）と、外部設定装置２００にて設定された現在時刻や日付等が競合することなく、外部設定装置２００にて設定された現在時刻や日付等がＲＴＣモジュール部９００に反映されることとなる。それゆえ、本実施形態によれば、ＲＴＣモジュール部９００に対し、演出ボタン装置１３を用いて現在時刻や日付等の設定ができるようにしても、量産時や、遊技場の営業前に、全台、同一の現在時刻や日付等の設定を正確に行うことが可能となる。なお、演出ボタン装置１３を用いて、現在時刻や日付等の設定ができるようにするには、例えば、電源投入時や待機画面時に、上記演出ボタン装置１３を一定時間以上入力し続けた際、当該演出ボタン装置１３にて現在時刻や日付等の設定ができるようにしておけば良い。
【００４３】
また、本実施形態によれば、演出Ｉ／Ｆ基板９０にＲＴＣモジュール部９００を搭載しているため、既存の基板を用いることができ、新たな基板を設けなくとも良いため、部品点数が増大する事態を防止することができる。
【００４４】
しかして、以上説明した本実施形態によれば、外部からＲＴＣを設定する場合であっても、基板上に専用の接続部を設けなくとも良くなる。
【００４５】
なお、本実施形態においては、演出制御基板８０と演出Ｉ／Ｆ基板９０との接続、又は、演出Ｉ／Ｆ基板９０と外部設定装置２００との接続にあたって、接続用コネクタ８０ａ〜８０ｂ，９０ａ〜９０ｂ，２００ａ〜２００ｂを用いた例を示したが、これに限らず、接続さえできれば、どのようなものを用いても良い。
【符号の説明】
【００４６】
１              パチンコ遊技機
８０            演出制御基板（第２基板）
８０ａ〜８０ｂ  接続用コネクタ（第２接続部）
９０            演出Ｉ／Ｆ基板（第１基板）
９０ａ〜９０ｂ  接続用コネクタ（第１接続部）
２００          外部設定装置
８００          演出制御ＣＰＵ（ＣＰＵ）
９００          ＲＴＣモジュール部（ＲＴＣ）
【図１】
2014100414.tif 000003
【図２】
2014100414.tif 000004
【図３】
2014100414.tif 000005
【図４】
2014100414.tif 000006
【図５】
2014100414.tif 000007